(57)【要約】【課題】オートパワーオフ、オートスリープは、通常装置が所定時間放置されたことを検知した時に実施される。ジョブ中にオペレータが休憩したり、帰宅前の後処理を実施するためには、ジョブが終了するのを待ってパワーオフもしくはスリープを実施するか、所定時間放置しないと実施できない。放置している間の消費電力は無駄になるし、ジョブ終了を待つのはオペレータの負担になる。また、連続してジョブを投入している場合は、ジョブの切れ目がわかりにくく、スリープもしくはパワーオフを実施するのは、困難である。【解決手段】ジョブにジョブ終了時にスリープもしくはパワーオフを実施するよう設定する手段を設ける。【選択図】図５
2015125622.tif 000002
【特許請求の範囲】
【請求項１】
情報処理装置であって、
前記情報処理装置の電源をオン／オフするための電源スイッチ（１０）と、
前記情報処理装置の操作を行う操作部および装置の操作状況や装置の状態の表示を行う操作部手段（２０）と、
前記装置の消費電力を抑えるスリープモードと、
前記装置の電力の供給を遮断するパワーオフモードと、
ジョブに実行後にスリープモードもしくはオフモードを設定する手段 と、
ジョブにスリープモードが設定されていた場合、後続のジョブの有無にかかわらずスリープモードを実行する手段と、
操作者の操作でスリープから復帰した場合、ジョブがあった場合にジョブを実行する手段と、
ジョブにパワーオフモードが設定されていた場合、後続のジョブの有無にかかわらずパワーオフモードを実行する手段と、
操作者の操作でパワーオンした場合、ジョブがあった場合にジョブを実行する手段と、
を持つことを特徴とする情報処理装置。
【請求項２】
操作者の操作でスリープから復帰した場合、ジョブがあったらジョブを実行する手段をさらに持つことを特徴とする請求項１に記載の情報処理装置。
【請求項３】
前記操作者の操作とは、操作部２０のスリープスイッチ押下もしくは、起動時刻の設定によりスリープから復帰したことを特徴とする請求項２に記載の情報処理装置。
【請求項４】
装置を起動したとき、ジョブがあった場合にジョブを実行する手段をさらに持つことを特徴とする請求項１に記載の情報処理装置。
【発明の詳細な説明】
【技術分野】
【０００１】
本発明は、情報処理装置、その制御方法、及び制御プログラムに関する。
【背景技術】
【０００２】
情報処理装置には、一定時間操作せず、所定時間放置されたことを検知して装置の電源スイッチをオフし、電源を遮断するパワーオフモードに移行するものがある(オートパワーオフ)。一定時間操作せず、所定時間放置されたことを検知して装置の消費電力を抑えるスリープモードに移行するものがある(オートスリープ)。また、電源スイッチを手動でオフし、パワーオフを行うことを可能とし、節電スイッチを手動で押下し、スリープモードに移行することを可能としている。さらに、時刻指定により、指定時刻に装置の電源スイッチをオフし、電源を遮断するパワーオフモードに移行することも可能としている。
【０００３】
情報処理装置の情報処理ジョブ終了後、所定時間経過を待ってスリープもしくはパワーオフを行うことは、所定時間の待ち時間の消費電力が無駄である。オペレータが、操作部の節電スイッチや電源スイッチを操作してスリープもしくはパワーオフを行うことは可能である。しかしながら装置の情報処理ジョブ終了を装置の前で待たないと手動でスリープもしくはパワーオフを行うことができない。そのため、オペレータの作業を効率良くすることができない。
【０００４】
特許文献１には、情報処理ジョブにオートスリープタイムを設定し、ジョブ終了後所定時間放置した後にはスリープモードに移行することが提案されている。
【先行技術文献】
【特許文献】
【０００５】
【特許文献１】特許第3774346号明細書
【発明の概要】
【発明が解決しようとする課題】
【０００６】
しかしながら、この場合は情報処理ジョブがすでに投入されていた場合には、後続の情報処理ジョブを実行するため、スリープモードに移行できない。
【０００７】
そのため、オペレータが必要な時にスリープモードやパワーオフモードを実行するには、ジョブの実行を見計らってジョブを投入し、装置の動作状況を確認しながら手動で各モードに移行するか、放置し無駄な電力を消費して、各モードへの移行を実行するしかなかった。そのため、オペレータの作業効率が低かった。
【課題を解決するための手段】
【０００８】
上記の課題を達成するため、本発明は、情報処理装置であって、前記情報処理装置の電源をオン／オフするための電源スイッチ（１０）と、
前記情報処理装置の操作を行うとともに、スリープモードへ移行／復帰するための節電スイッチを持ち、装置の操作状況や装置の状態の表示を行う表示部を持つ操作部手段（２０）と
前記装置の消費電力を抑えるスリープモードと、
前記装置の電力の供給を遮断するパワーオフモードと、
情報処理ジョブを記憶する装置、例えばハードディスク装置１６と、
情報処理ジョブにスリープもしくはパワーオフを設定する設定手段と、
設定手段により設定されたモードへ移行する情報処理ジョブ後の処理手段と、
節電スイッチ押下によりスリープから復帰、もしくは電源スイッチオンにより起動した場合に、すでにスプールされたジョブが有る場合はジョブを実行する手段と、
以上の手段を有することを特徴とする。
【発明の効果】
【０００９】
本発明によれば、オペレータは情報処理ジョブにジョブ終了後スリープモードに移行する、もしくはパワーオフモードを実行するよう指定することで、先行して情報処理ジョブを投入することができる。
【００１０】
こうすることで、例えば休憩時間中に終了する情報処理ジョブにスリープモードを指定することで、ジョブ終了後には速やかにスリープ移行が可能となる。このためジョブ終了を待って節電スイッチによりスリープ移行する必要が無い。さらにオートスリープのための放置時間が必要なく無駄な電力を消費することもなくなる。そして節電スイッチによりスリープから復帰した時、すでに投入している情報処理ジョブを実行することが可能となる。また、情報処理ジョブにパワーオフモードを指定することで、ジョブ終了後にパワーオフを実行することで、ジョブ終了後に電源オフ操作をすることなく、排出されたプリント用紙の後工程をすぐに作業開始できる。さらに電源スイッチオンによる起動後、すでに投入しているジョブを実行できるため、装置の起動を待つ必要が無い。すなわちオペレータが装置や装置のスイッチ近辺に張り付くことなく、予定通りに作業を行うことが可能となり、作業効率を高めることが可能となる。
【図面の簡単な説明】
【００１１】
【図１】プリンタの構成を示すブロック図
【図２】電源制御部１４の構成を示すブロック図
【図３】パワーオフ制御部１４０の構成を示すブロック図
【図４】メモリ１８およびＨＤＤ１６の内部構成図
【図５】本発明のフロー図
【図６】本発明の操作部２０の表示例の図
【図７】本発明の第２の実施例の操作部２０の表示例の図
【図８】ＰＣ２のプリンタドライバの設定画面の例
【発明を実施するための形態】
【００１２】
以下、本発明を実施するための形態を、図面に基づいて説明する。なお、以下の説明において、情報処理装置の一例としてプリンタを挙げて説明するが、情報処理装置及び外部装置はこれらの例に限定されるものではない。また、以下の説明において、パワーオフ処理とは、装置の電源をオフにするための処理のことであり、装置のシャットダウン及び装置への電源の遮断を含むものとする。また、装置のシャットダウンとは、ファイルのクローズ、アプリケーションプログラムの終了、各種入出力装置との通信の切断、ＯＳの終了等の処理を実行すること意味する。
【００１３】
〔第１の実施形態〕
図１は、本実施形態に係るプリンタの構成を示すブロック図である。プリンタ１は、外部Ｉ／Ｆにより、ＰＣ２とネットワークを介して通信可能に接続される。プリンタ１は、電源スイッチ部１０、電源リレー部１１、ＡＣ／ＤＣ電源部１２、コントローラ部１３、及びプリント部１９を有している。
【００１４】
電源スイッチ部１０は、交流（ＡＣ）電源からの電力供給のオン／オフを指示するための電源スイッチを有している。この電源スイッチは、ソレノイドスイッチである。ソレノイドスイッチは、スイッチとアクチュエータによって構成され、手動又は自動でスイッチをオフすることが可能である。アクチュエータは、ソレノイドと鉄芯（ソレノイドの中に配置される）により構成され、ソレノイドに電流を流すことにより、鉄芯を動作させ、スイッチを自動でオフさせることが可能となっている。また、電源スイッチ部１０は、電源スイッチのオン／オフ状態を電源制御部１４に通知する機能を有している。
【００１５】
電源リレー部１１は、電源制御部１４からの信号に基づいて、電源スイッチがオフ状態であっても、外部からの交流電源をＡＣ／ＤＣ電源部１２に供給するために設けられている。
【００１６】
ＡＣ／ＤＣ電源部１２は、装置外部から供給される交流電源を直流電源に変換して、コントローラ部１３やプリント部１９等の各デバイスに供給する。コントローラ部１３は、電源制御部１４、リセット部１５、ＨＤＤ１６、ＣＰＵ１７、及びメモリ１８を有している。電源制御部１４は、電源スイッチのオン／オフ状態を検出して、パワーオフ処理、リセット処理、電源オフ処理等の処理を指示する信号を出力する。
【００１７】
リセット部１５は、当該コンピュータシステムを再起動する場合等、電源制御部１４からのリセット指示信号に基づいて、コントローラ部１３のハードウェア全体に対してリセット処理を行う。
【００１８】
ＨＤＤ１６は、当該コンピュータシステムで実行する各種のソフトウェアやデータを格納する。なお、ＨＤＤ１６には、ＯＳ、装置に特有の情報処理等を行う各種のアプリケーションプログラム（制御プログラム）が格納され、この各種の制御プログラムの中には、パワーオフ処理に係る制御プログラムも含まれている。データには、オートスリープを実行するための時間、オートパワーオフを実行するための時間、時刻指定のパワーオフを実行するための時刻を含んでいる。さらに情報処理ジョブを記憶する領域を持っている。
【００１９】
ＣＰＵ１７は、電源制御部１４からの指示信号に基づいてパワーオフ処理、リセット処理等を実行すると共に、プリンタ１に係るシステム全体の制御を行う。  また内部にはタイマ割り込み機能を有し、各種タイマの制御をおこなう。メモリ１８は、ＤＤＲ ＳＤＲＡＭ等の揮発性メモリにより構成されており、ＣＰＵ１７のワークエリア等として利用される。  タイマ手段１（オートスリープタイマ）およびタイマ手段２（オートパワーオフ）のワークエリアも含んでいる。
【００２０】
プリント部１９は、ＣＰＵの制御に基づいて、プリント処理を実行する。スリープモード時は、プリンタＩ／Ｆを介して、プリンタ部の電源供給を遮断する。操作部２０は、表示画面と入力ボタンを有し、操作者からの各種操作を受け付ける。
【００２１】
操作部Ｉ／Ｆで、操作部２０の操作情報をＣＰＵ１７に通知し、ＣＰＵ１７から操作部２０の表示部に表示するデータを送り、操作部２０は受けた画面データを表示画面に表示する。 スリープ移行時は、操作部Ｉ／Ｆを介して、表示画面を消灯する。
【００２２】
また、操作部２０は、スリープモード移行もしくはスリープモードから復帰するための節電スイッチを有する。スリープモード移行時には、節電スイッチのみに通電しており、表示画面と入力ボタンへの電力供給を遮断する。操作部Ｉ／Ｆにより節電スイッチの押下状態をＣＰＵ１７へ割り込みを発生させることが可能である。ＣＰＵ１７は、操作部２０からの操作情報を元に、タイマ手段１（オートスリープタイマ）およびタイマ手段２（オートパワーオフタイマ）をスタートさせる。
【００２３】
ＲＴＣ（ＲｅａｌＴｉｍｅＣｌｏｃｋ）２１は、一般的なＲＴＣチップであって、時刻を管理している。ＣＰＵ１７はＲＴＣＩ／Ｆにて、時刻を取得することが可能で、起動時にＲＴＣ２１から起動時刻を取得し、起動時刻判断手段にて、起動の状態を判断する。また、時刻を設定し、設定した時刻になるとＲＴＣＩ／ＦにてＣＰＵ１７に割り込みを発生させることが可能である。スリープモードは、操作部２０の表示画面と入力ボタンへの電力供給と、プリンタ部１９への電力供給を遮断した状態である。
【００２４】
図２は、本実施形態に係る電源制御部１４の構成を示すブロック図である。電源制御部１４は、パワーオフ制御部１４０、割り込み制御部１４１、及びリレー制御部１４２を有している。
【００２５】
パワーオフ制御部１４０は、電源スイッチ部１０からのスイッチ状態信号と、リレー制御部１４２からのリレー断指示信号を受け取る。そして、パワーオフ制御部１４０は、スイッチ状態信号とリレー断指示信号に基づいてオートパワーオフもしくは時刻指定のパワーオフであると判断した場合は、電源断処理を実行させるための電源スイッチ制御信号を電源スイッチ部１０に出力する。また、パワーオフ制御部１４０は、スイッチ状態信号がオン状態からオフ状態に変化した後に再度オン状態になった場合は、リセット指示信号をリセット部１５に出力してハードウェアをリセットさせる。これにより、ＣＰＵ１７は、ハードウェアがリセットされた状態でコンピュータシステムを再起動することが可能となる。
【００２６】
割り込み制御部１４１は、電源スイッチ部１０から電源スイッチのスイッチ状態信号を受け取ることにより、電源スイッチのオン／オフ状態を監視する。そして、割り込み制御部１４１は、電源スイッチがオン状態からオフ状態に変化した場合に、ＣＰＵ１７に対する割り込み信号をアサートすることで、電源スイッチがオフされたことをＣＰＵ１７に通知する。リレー制御部１４２は、ＣＰＵ１７からの指示信号に基づいて、電源リレー断（オフ）指示信号を電源リレー部１１に出力する。
【００２７】
図３は、本実施形態に係るパワーオフ制御部１４０の内部構成を示すブロック図である。パワーオフ制御部１４０は、ＡＮＤ回路１４００，１４０３，１４０５、ＮＯＴ回路１４０１，１４０４、及びフリップフロップ（ＦＦ）回路１４０２を有している。
【００２８】
ＡＮＤ回路１４００は、リレー断指示信号とスイッチ状態信号の論理積値を、信号２としてＡＮＤ回路１４０３，１４０５に出力する。ＮＯＴ回路１４０１は、スイッチ状態信号を反転させてフリップフロップ回路１４０２に入力する。フリップフロップ回路１４０２は、スイッチ状態信号のオン／オフの変化状態を保持し、その変化状態を信号１としてＡＮＤ回路１４０３，１４０５に出力する。ただし、信号１は、ＡＮＤ回路１４０５に対してはＮＯＴ回路１４０４を介して出力される。
【００２９】
ＡＮＤ回路１４０３は、出力信号を、リセット指示信号としてリセット部１５へ出力させる。また、ＡＮＤ回路１４０５は、出力信号を、電源スイッチ制御信号として電源スイッチ部１０へ出力させる。
【００３０】
図４は、メモリ１８およびＨＤＤ１６の一部分の構成である。Ｍ１０１はオートスリープタイマをスタートさせる時、ＨＤ２０２のオートスリープデータを書き込み、ＣＰＵ１７のタイマ割り込みに応じて減算され、Ｍ１０１が０になったときに、スリープ手段を実行する。
【００３１】
Ｍ１０２はオートパワーオフタイマをスタートさせる時、ＨＤＤ２０３のオートパワーオフデータを書き込み、ＣＰＵ１７のタイマ割り込みに応じて減算され、Ｍ１０２が０になった時に、パワーオフ手段を実行する。ＨＤ２０１は時刻指定パワーオフの時刻データであり、ＲＴＣ２１の時刻と比較し、ＲＴＣ２１の時刻がＨＤ２０１の時刻を超えた時、パワーオフ手段を実行する。
【００３２】
図５は、本実施形態に係る動作を示すフローチャートである。起動時、Ｓ５０１にて、オートスリープタイマＭ１０１およびオートパワーオフタイマＭ１０２をスタートする。Ｓ５０２にて情報処理開始か否かを判断する。情報処理が開始しなければＳ５０３にて現在時刻が時刻指定パワーオフモードの時刻を過ぎているか判断し、Ｓ５１１にてパワーオフモードを起動し、終了する。過ぎていなければ、Ｓ５０４にてオートシャットダウンタイマＭ１０２を判断する。０になっていれば、Ｓ５１１にてパワーオフモードを起動し、終了する。Ｓ５０４にて０になっていなければ、Ｓ５０５にてオートスリープタイマＭ１０１を判断する。オートスリープタイマＭ１０１が０になっていればＳ５０６にてスリープモードへ移行する。節電スイッチ押下によりスリープから復帰した場合、Ｓ５０１へ戻る。オートスリープタイマＭ１０１が０でなければ、Ｓ５０１に戻る。
【００３３】
Ｓ５０２にて情報処理開始であると判断した場合、Ｓ５０７にてオートスリープタイマとオートパワーオフタイマをキャンセルし、Ｓ５０８にて情報処理が終了するのを待つ。情報処理が終了したとき、Ｓ５０９にてジョブ終了後にスリープ設定があるか否か判断する。スリープ設定があれば、Ｓ５０６にてスリープモードへ移行する。スリープ設定がなければＳ５１０にてパワーオフ設定があるか判断する。パワーオフが設定されていれば、Ｓ５１１にてパワーオフモードを起動し、終了する。パワーオフ設定が無ければＳ５０１に戻り、オートスリープタイマＭ１０１およびオートパワーオフタイマＭ１０２をスタートさせる。
【００３４】
図６は操作部２０の表示例である。図６（Ａ）では、投入されている５つのジョブとそのジョブの処理にかかる時間および終了時刻を表示している。Ｂ１００は、ジョブの名前を表示している。Ｂ１０１は情報処理ジョブの状態を表示している。Ｂ１０２は情報処理ジョブの処理時間を表示している。Ｂ１０３は終了予定時刻を表示している。Ｂ１０４は情報処理ジョブが終了したときに遷移する状態を表示しており、さらにこのキーを押下することで、終了後の状態を指示することが可能である。Ｂ１１０、Ｂ１１１は１画面で表示しきれない情報を表示するためのスクロールキーである。
【００３５】
例えば、オペレータはプリント３の情報処理ジョブのＢ１０４を押下すると、図６（Ｂ）のとおりスリープモードもしくはオートパワーオフモードを設定することが可能である。Ｂ１５０はスタンバイを選択するスイッチである。Ｂ１５１はスリープを選択するスイッチである。Ｂ１５２はパワーオフを選択するスイッチである。例えばＢ１５１スイッチでスリープモードを選択する。Ｂ１５３のＯＫキー押下で、確定する。
【００３６】
図６（Ｃ）では、オペレータによりプリント３の情報処理ジョブにスリープモードを、プリント５の情報処理ジョブにパワーオフを設定したときの表示例である。スリープモードを設定した場合、復帰時刻がわからないため、プリント４およびプリント５のジョブの終了時刻は表示されない。オペレータは１３：００にスリープから復帰する予定とすると、プリント５の情報処理ジョブは１６：４５に終了することが分かるので、プリント５に同様にパワーオフを設定することができる。プリント５にパワーオフを設定することが可能である。
【００３７】
〔第２の実施形態〕
本発明の実施形態では、スリープからの復帰をオペレータの予定を想定してパワーオフモードを設定するジョブを判断したが、ＲＴＣ２１のアラーム機能を使用し、復帰時刻を設定し、その復帰時刻で復帰したときにジョブを開始してもよい。
【００３８】
図７は、操作部２０の表示例であり、図６（Ｂ）の表示画面の第２の実施形態である。図６（Ｂ）で、プリント３の情報処理ジョブにスリープを設定するとき、図７（Ａ）の通り、スリープから復帰する時刻を入力する画面を表示する。
【００３９】
図７（Ａ）は復帰時刻を設定する画面である。たとえばＢ２００でスリープを選択する。Ｂ２０１で１３：００と入力し、Ｂ２０２を押下し、設定を確定する。システムは１３：００に復帰し、プリント４を実行することが可能である。図７（Ｂ）はＢ２１０の表示で、プリント３が終了した後、スリープへ移行し、１３：００にスリープから復帰することを表示している。復帰時刻が１３：００のため、プリント４が１３：００から処理可能となるため、４番目、５番目のジョブに終了時刻を表示する。
【００４０】
第１の実施系、第２の実施系では、操作部２０からジョブにスリープモードもしくはパワーオフモードを設定するとしたが、ＰＣ２のプリンタドライバからジョブ投入する時点で、設定してもよい。図８はＰＣ２のプリンタドライバの設定画面の例である。
【００４１】
本発明に係る部分のみの説明し、他の説明は割愛する。Ｂ３０１はプリント完了後の装置の状態をスタンバイの状態のままに設定するスイッチである。Ｂ３０２はプリント完了後にパワーオフモードを実行するように設定するスイッチである。Ｂ３０３はプリント完了後にスリープモードを実行するように設定するスイッチであり、このスイッチが有効な場合は、Ｂ３０４で設定したスリープからの復帰時刻が有効になる。
【００４２】
以上のように、本発明によると、オペレータは情報処理ジョブにジョブ終了後スリープモードに移行する、もしくはパワーオフモードを実行するよう指定することで、先行して情報処理ジョブを投入することができる。
【００４３】
こうすることで、例えば休憩時間中に終了する情報処理ジョブにスリープモードを指定することで、ジョブ終了後には速やかにスリープ移行が可能となる。このためでジョブ終了を待って節電スイッチによりスリープ移行する必要が無い。さらにオートスリープのための放置時間が必要なく無駄な電力を消費することもなくなる。さらに節電スイッチ、もしくはスリープ復帰時刻の指定でＲＴＣ２１によりスリープから復帰した時、すでに投入している情報処理ジョブを実行することが可能となる。
【００４４】
また、情報処理ジョブにパワーオフモードを指定することで、ジョブ終了後に装置がパワーオフを実行することで、ジョブ終了後に電源オフ操作をすることなく、排出されたプリント用紙の後工程をすぐに作業開始できる。さらに電源スイッチオンによる起動後、すでに投入しているジョブを実行できるため、装置の起動を待つ必要が無い。すなわちオペレータが装置や装置のスイッチ近辺に張り付くことなく、予定通りに作業を行うことが可能となり、作業効率を高めることが可能となる。
【符号の説明】
【００４５】
１  プリンタ
１０  電源スイッチ部
１１  電源リレー部
１２  ＡＣ／ＤＣ電源部
１３  コントローラ部
１９  プリント部
【図１】
2015125622.tif 000003
【図２】
2015125622.tif 000004
【図３】
2015125622.tif 000005
【図４】
2015125622.tif 000006
【図５】
2015125622.tif 000007
【図６】
2015125622.tif 000008
【図７】
2015125622.tif 000009
【図８】
2015125622.tif 000010